(57)【要約】【課題】一定所要時間以上の静止画表示の後に、表示切替があった場合の焼き付き部周辺の表示不具合を少なくすることを目的とする。【解決手段】映像の動きを検出する動き検出部７と、映像の動きの有無に応じてその継続時間を計時する時間検知部９と、前記動き検出部７と時間検知部９の計時結果及び表示パターンによって駆動波形の切り替えを制御する制御部１０とを備え、前記時間検知部９が第１の規定時間以上の間、動き無しの表示が続いていることを検知した後に、動き検出部７が動きを検知すると、少なくとも１つの維持パルスにおいて、立ち上げ期間を短縮するとともに維持パルス電圧の保持期間を延長した波形に切り替え、切り替え後、第２の規定時間が経過すると前記切り替え前の波形に戻すことを特徴とする。【選択図】図１
2008304504.tif 000002
【特許請求の範囲】
【請求項１】
映像の動きを検出する動き検出部と、映像の動きの有無に応じてその継続時間を計時する時間検知部と、前記動き検出部と時間検知部の計時結果及び表示パターンによって駆動波形の切り替えを制御する制御部とを備え、前記時間検知部が第１の規定時間以上の間、動き無しの表示が続いていることを検知した後に、動き検出部が動きを検知すると、少なくとも１つの維持パルスにおいて、立ち上げ期間を短縮するとともに維持パルス電圧の保持期間を延長した波形に切り替え、切り替え後、第２の規定時間が経過すると前記切り替え前の波形に戻すことを特徴とするプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、「パネル」と略記する）は、大画面、薄型、軽量を特徴とする放電による自己発光型の表示デバイスである。
【０００３】
具体的な先行技術文献はないが、一般にパネルは静止画を長時間表示させると、静止画表示部には焼き付きが生じる。焼き付きが生じたパネルは、焼き付き部からのガスの影響により、ガスが均一になるまでの一定時間において、セル間の維持放電開始電圧にばらつきが生じる。これにより維持放電開始電圧が高くなりすぎたセルは、維持電圧保持期間において十分な壁電荷蓄積ができずに、正常な維持発光が行われず、表示不具合が発生する。
【発明の開示】
【発明が解決しようとする課題】
【０００４】
本発明は上記課題に鑑みなされたものであり、一定所要時間以上の静止画表示の後に、表示切替があった場合の焼き付き部周辺の表示不具合を少なくすることを目的とする。
【課題を解決するための手段】
【０００５】
本発明のプラズマディスプレイパネルの駆動方法は、映像の動きを検出する動き検出部と、映像の動きの有無に応じてその継続時間を計時する時間検知部と、前記動き検出部と時間検知部の計時結果及び表示パターンによって駆動波形の切り替えを制御する制御部とを備え、前記時間検知部が第１の規定時間以上の間、動き無しの表示が続いていることを検知した後に、動き検出部が動きを検知すると、少なくとも１つの維持パルスにおいて、立ち上げ期間を短縮するとともに維持パルス電圧の保持期間を延長した波形に切り替え、切り替え後、第２の規定時間が経過すると前記切り替え前の波形に戻すことを特徴とする。
【発明の効果】
【０００６】
本発明によれば、一定所要時間（第１の規定時間）の静止画表示から、表示が切り替わった直後から一定所要時間（第２の規定時間）にかけて駆動波形を切り替えて、壁電荷蓄積を安定化するものである。これにより、静止画表示により焼き付き部周辺のガスが不均一な状態になった場合でも、維持発光ができないことによる表示不具合を防止することができる。
【発明を実施するための最良の形態】
【０００７】
以下、本発明の一実施の形態による駆動方法について、図１〜図３の図面を用いて説明する。
【０００８】
図１は本発明による駆動方法を実施するための表示装置の回路ブロック図を示している。図１において、パネル１の走査電極には走査電極駆動回路２が接続され、維持電極には維持電極駆動回路３が接続され、データ電極にはデータドライバ４が接続されている。そして、前記走査電極駆動回路２、維持電極駆動回路３は駆動制御部５により制御され、データドライバ４はデータ制御部６により制御され、パネル１の各電極に必要な駆動電圧が印加される。
【０００９】
入力された映像信号は、まず動き検出部７によってその映像表示が静止画か動画であるかを判別し、動画であった場合はモード切替部８に送られる。モード切替部８は、通常の駆動波形をデータ制御部６、駆動制御部５に送る。静止画であった場合は、時間検知部９によって、次に動き検出部７から動き信号の検出信号を送られてくるまで時間を計時する。計時時間とあらかじめ決めてある第１の規定時間以上の時間を比較し、計時時間の方が長かった場合は、制御部１０は維持パルスにおいて、少なくとも１つ以上の維持パルスに対し、パルス立ち上げ期間を短縮するとともに維持パルスの電圧保持期間を延長した維持パルス波形に切り替える制御信号を送る。更に、切り替えてからあらかじめ決めてある第２の規定時間以上の時間を計時すると、通常波形に戻す信号をモード切替部８に送る。
【００１０】
図２に通常の維持動作を行うための維持パルスの駆動波形を示しており、維持パルスの立ち上げ期間がＴ１、維持パルスの電圧保持期間がＴ２に相当する。図３に静止画を検出した場合における維持動作を行うための維持パルスの駆動波形を示しており、立ち上げ期間Ｔ１を短縮するとともに維持パルス電圧の保持期間Ｔ２を延長した波形である。維持パルス立ち上げ期間Ｔ１を短縮することで、図３に示すように、オーバーシュートにより、放電セルの放電に作用する最大実効電圧が大きくなる。これにより維持放電はオーバーシュート部分で起こり、放電経路が形成されるため、放電開始電圧が下がり、その後の電圧保持期間での壁電荷蓄積が安定化する。また、維持パルス電圧保持期間Ｔ２を延長することで、電圧保持期間Ｔ２での壁電荷の蓄積時間を長くし、安定化している。
【００１１】
これにより、ある規定時間以上の静止画表示で生じたガスが均一になるまでの時間に限定される焼き付き部周辺のガス不均一による維持電圧保持期間において十分な壁電荷蓄積ができずに、正常な維持発光が行われず、表示不具合が発生するという問題を解決することができる。
【００１２】
また、本発明において、立ち上げ期間Ｔ１を短縮することによるオーバーシュートによって輝度が大きくなるが、上記の駆動波形切り替えを少なくとも１つもしくは２つ以上の段階に分けて実施することにより、フィールド毎の輝度変化を小さくできる。また、動き無しの表示の継続時間によって、駆動波形切り替えを前記維持パルス立ち上げ期間を短縮することと、前記維持パルスの電圧を保持させる維持パルス電圧保持期間を延長することを選択する、あるいは同時に行うことにより、ガスの不均一度合いによって、波形の切り替えを最小限に制御でき、輝度変化を小さくできる。
【００１３】
また、駆動波形を切り替えるかどうかを判別するための静止画が続いている時間と比較する前記第１の規定時間を、静止画の映像信号によって可変とすることにより、焼き付きやすい映像の時は、規定時間を短く、焼き付きにくい映像の場合は長くというような制御が可能となり、駆動波形を切り替えることによる、輝度変化を最小限に抑制できる。また、静止画の継続時間と静止画時の表示パターンによって、駆動波形を切り替えてから通常波形に戻すまでの第２の規定時間を可変とすることにより、動き無しの表示が続いている時間と静止画時の表示パターンによってガスのばらつきが異なり、放電開始電圧の変化度合いが異なる場合でも、波形を切り替えている継続時間を制御することにより、輝度変化を最小限に抑制できる。さらに、動き無しの表示が続いている時間と静止画時の映像信号によって、前記維持パルスについて、パルス立ち上げ期間を短縮する、または維持パルスの電圧を保持させる維持パルス電圧保持期間を延長する頻度及び回数を可変とすることにより、動き無しの表示が続いている時間と静止画時の映像信号によってガスのばらつきが異なり、放電開始電圧の変化度合いが異なる場合でも、頻度及び回数を制御することにより、輝度変化を最小限に抑制できる。
【００１４】
また、静止画継続時間と静止画時の映像信号によって、前記の延長する維持パルス電圧保持期間及び前記維持パルス立ち上げ期間を可変とすることにより、静止画継続時間と静止画時の映像信号によってガスのばらつきが異なり、放電開始電圧の変化度合いが異なる場合でも、電圧保持期間、立ち上げ期間を制御することにより、輝度変化を最小限に抑制できる。
【００１５】
次に、具体的な駆動例について、説明する。
【００１６】
入力映像信号が動画であった場合、動き検出部が動きを検知し、モード制御部が通常モードを制御部に送り、パネルは通常駆動によって発光する。例えば、入力映像信号が１％ＷＩＮＤＯＷの静止画であった場合、動き検出部は動き無し信号を送る。このとき、入力信号のレベルや、表示の輝度、ＡＰＬから制御部が判断し、例えば、第１の規定時間を１０時間に設定する。時間検知部は動き無し信号が送られてから時間を計時し始め、１０時間を超えた場合に、制御部にモード切替フラグを送る。
【００１７】
１％ＷＩＮＤＯＷ静止画の入力映像信号が送られてから、例えば３０時間後に映像が切り替わって動画が入力されると、動き検出部が動きを検出し、このときモード切替フラグが立っているため、制御部が維持放電安定化駆動への切り替え信号をモード切替部に送る。また動きがある前の信号のレベル、表示の輝度、ＡＰＬや、継続時間（この場合は３０時間）から制御部は例えば以下のことを設定する。
(1)第２の規定時間は１２分
(2)前記維持パルスのＴ１を短縮するとともにＴ２を延長する
(3)Ｔ１の短縮とＴ２の延長は維持パルスの２パルスに１パルス行う
(4)動きを検出してから２０秒ごとに３段階、Ｔ１を１００ｎｓづつ小さくし、Ｔ２を２０ｎｓづつ大きくする。最終的にＴ１は３００ｎｓ小さく、Ｔ２は６００ｎｓ大きくなっている
(5)２分経過後、１分ごとに５段階で元に戻す
なお、今回示した数値に関しては一例であり、必ずしも今回の例のような数値である必要は無く、静止画の入力映像信号により、信号レベルや、表示の輝度、ＡＰＬによって焼き付きによるガスのばらつき度合いが異なるため、第１の所要時間はガス不均一の起こる静止画表示時間以下で設定されておれば、同様の効果が得られる。
【００１８】
また、上記信号レベルや、表示の輝度、ＡＰＬに加えて静止画表示時間によってもガスのばらつき度合いが異なってくるが、前記Ｔ１の短縮時間、Ｔ２の延長時間が、このばらつき度合いを想定した値に設定可能であり、その設定値が次の維持パルスに必要な壁電荷が蓄積されるのに十分な値であれば同様の効果が得られる。
【００１９】
また、上記例では、Ｔ１の短縮とＴ２の延長を同時に行い、その切り替え頻度は２パルスに１パルス行う設定にしているが、これらも、次の維持パルスに必要な電荷が蓄積されるのに十分な範囲であれば同様の効果が得られる。
【産業上の利用可能性】
【００２０】
本発明のプラズマディスプレイパネルの駆動方法は、ある所要時間の静止画表示から表示切替があった場合の焼き付き部周辺の完全点灯に対する維持電圧不足の解消に有効である。
【図面の簡単な説明】
【００２１】
【図１】本発明の一実施の形態における表示装置の回路ブロック図
【図２】同表示装置の通常の維持パルスの一例を示すタイミングチャート
【図３】同表示装置の切替後の維持パルスの一例を示すタイミングチャート
【符号の説明】
【００２２】
１  パネル
２  走査電極駆動回路
３  維持電極駆動回路
７  動き検出部
８  モード切替部
９  時間検知部
１０  制御部
【図１】
2008304504.tif 000003
【図２】
2008304504.tif 000004
【図３】
2008304504.tif 000005